(57)【要約】【課題】画像の記録後、または撮像後の格納時に格納先の縮小画像が表示され、ユーザが画像を処理する際、または画像を撮像する際に、容易に格納処理を行うことができる画像処理装置及び撮像装置の提供。【解決手段】画像を複数の格納先に分類して格納する画像格納手段１４と、前記画像より縮小画像を作成する縮小画像作成手段２と、前記画像格納手段によって格納される画像の縮小画像および格納先を表す画像を表示手段１０に表示させる表示制御手段８と、画像の格納先を指定する指示手段１２とを備え、前記表示制御手段８が、前記指示手段１２によって指示された格納先を表す画像を、当該格納先に格納される画像に対応する縮小画像に変更するように構成された画像処理装置。【選択図】        図１
2004194183.tif 000002
【特許請求の範囲】
【請求項１】
画像を複数の格納先に分類して格納する画像格納手段と、
前記画像より縮小画像を作成する縮小画像作成手段と、
前記画像格納手段によって格納される画像の縮小画像および格納先を表す画像を表示手段に表示させる表示制御手段と、
画像の格納先を指定する指示手段とを備え、
前記表示制御手段は、前記指示手段によって指示された格納先を表す画像を、当該格納先に格納される画像に対応する縮小画像に変更するように構成されていることを特徴とする画像処理装置。
【請求項２】
請求項１記載の画像処理装置において、
前記表示制御手段は、前記格納先に最後に格納された画像の縮小画像を表示させるように構成されていることを特徴とする画像処理装置。
【請求項３】
請求項１記載の画像処理装置において、
前記複数の格納先は、格納された画像を印刷手段へと供給する手段を含み、前記表示制御手段は、前記印刷手段によって最後に印刷された画像の縮小画像を表示させるように構成されていることを特徴とする画像処理装置。
【請求項４】
請求項１記載の画像処理装置において、
前記複数の格納先は、格納された画像を外部に送信するための通信手段へと供給する手段を含み、前記表示制御手段は、前記通信手段によって最後に送信された画像の縮小画像を表示させるように構成されていることを特徴とする画像処理装置。
【請求項５】
請求項１記載の画像処理装置において、
前記表示制御手段は、前記表示手段にＭ×Ｎ個の複数の縮小画像を表示し、中央部に前記格納先へと格納される画像の縮小画像を表示し、当該縮小画像の周囲に前記格納先を表す画像を表示することを特徴とする画像処理装置。
【請求項６】
撮像手段と、
前記撮像手段より出力された画像に対応する第１の画像と、前記画像の出力先を表す第２の画像を表示手段に表示させる表示制御手段と、
前記第２の画像を指示することによって、前記入力画像を出力する出力先を選択する指示手段と、
前記指示手段によって指示された第２の画像に対応する出力先に前記入力画像を出力する出力手段とを備え、
前記表示制御手段は、前記入力画像の前記出力先に対応する前記第２の画像を、前記入力画像に対応する第１の縮小画像に変更するように構成されていることを特徴とする撮像装置。
【請求項７】
請求項６記載の撮像装置において、
前記表示制御手段は、前記出力先に最後に出力された画像の縮小画像を表示させるように構成されていることを特徴とする撮像装置。
【請求項８】
請求項６記載の撮像装置において、
前記複数の出力先は、出力された画像を印刷手段へと供給あるいは外部に送信するための通信手段へと供給する手段を含み、前記表示制御手段は、前記印刷手段によって最後に印刷された画像の縮小画像を表示させるように構成されていることを特徴とする撮像装置。
【請求項９】
請求項６記載の撮像装置において、
前記表示制御手段は、前記表示手段にＭ×Ｎ個の複数の縮小画像を表示し、中央部に前記出力先へと出力される画像の縮小画像を表示し、当該縮小画像の周囲に前記格納先を表す画像を表示することを特徴とする撮像装置。
【発明の詳細な説明】
【０００１】
【発明の属する技術分野】
本発明は、複数の画像を分類して格納する画像処理装置及び撮像装置に関する。
【０００２】
【従来の技術】
従来、画像処理装置および撮像装置における画像の分類は、例えば、画像のファイル名と格納されているディレクトリのディレクトリ名を表示し、ユーザが指定したディレクトリに画像が保存されるように動作していた（例えば、特許文献１参照。）。
【０００３】
【特許文献１】
特開２０００−７８５１７号公報
【０００４】
【発明が解決しようとする課題】
しかしながら、上述の従来の方法では、格納先の情報が画像として表示されず、ディレクトリ名だけであるのでユーザが直感的に格納先の情報がわかりにくく、画像の分類が面倒であるという問題点があった。
【０００５】
本発明は、上述の点に着目して成されたもので、画像の記録後の格納時（あるいは出力時）に格納先（あるいは出力先）の縮小画像が表示されるのでユーザが画像を管理する際に、容易に格納処理を行うことができ、画像の撮像後の格納時（あるいは出力時）に格納先（あるいは出力先）の縮小画像が表示され、ユーザが画像を撮像する際に、容易に格納処理を行うことができる画像処理装置及び撮像装置を提供することを目的とする。
【０００６】
【課題を解決するための手段】
本発明は、下記構成を備えることにより上記課題を解決できるものである。
【０００７】
（１）画像を複数の格納先に分類して格納する画像格納手段と、前記画像より縮小画像を作成する縮小画像作成手段と、前記画像格納手段によって格納される画像の縮小画像および格納先を表す画像を表示手段に表示させる表示制御手段と、画像の格納先を指定する指示手段とを備え、前記表示制御手段は、前記指示手段によって指示された格納先を表す画像を、当該格納先に格納される画像に対応する縮小画像に変更するように構成されていることを特徴とする画像処理装置。
【０００８】
（２）撮像手段と、前記撮像手段より出力された画像に対応する第１の画像と、前記画像の出力先を表す第２の画像を表示手段に表示させる表示制御手段と、前記第２の画像を指示することによって、前記入力画像を出力する出力先を選択する指示手段と、前記指示手段によって指示された第２の画像に対応する出力先に前記入力画像を出力する出力手段とを備え、前記表示制御手段は、前記入力画像の前記出力先に対応する前記第２の画像を、前記入力画像に対応する第１の縮小画像に変更するように構成されていることを特徴とする撮像装置。
【０００９】
【発明の実施の形態】
以下、図面を参照し、本発明に係る画像処理装置及び撮像装置の実施の形態を説明する。
【００１０】
【第１の実施例】
第１の実施例は、構成の主体が画像処理装置の場合である。
【００１１】
図１は、本発明に係る第１の実施例における画像処理装置の要部構成を示すブロック図である。
【００１２】
図１において、２は格納されている各画像の縮小画像を作成する縮小画像作成手段であり、４は前記縮小画像作成手段２によって作成された縮小画像および縮小画像表示情報を縮小画像記録媒体６に分類して記録し、また、縮小画像記録媒体６に記録されている縮小画像を読み込む縮小画像読書き手段であり、６は縮小画像読書き手段４によって縮小画像および縮小画像表示情報を記録する縮小画像記録媒体であり、８は表示手段１０に表示される格納先を表す画像が画像記録媒体１６の中の該格納先に格納されている画像の縮小画像になるように縮小画像記録媒体６中の縮小画像表示情報に従って縮小画像を読出して表示する表示制御手段であり、１０は表示制御手段８によって、格納される画像および格納先を表す画像および指示手段１２によってユーザが格納先を指定するためのマーカを表示する表示手段であり、１２はユーザが格納される画像および格納先を選択および決定することのできる指示手段であり、１４は格納される画像を指示手段１２によって指定された格納先に記録および読み出しを行う画像格納手段であり、１６は画像格納手段１４によって画像を記録する画像記録媒体であり、１８は画像記録媒体１６に記録されている画像を印刷する印刷手段であり、２０は画像記録媒体１６に記録されている画像を外部に送信する通信手段である。
【００１３】
なお、縮小画像記録媒体６と画像記録媒体１６は同一の媒体であっても良い。
【００１４】
図２（ａ）、（ｂ）は、本発明に係る第１の実施例における画像処理装置の画像格納時の縮小画像の表示画面例を示す説明図である。
【００１５】
即ち、画像の格納操作にあたり、表示手段１０に表示される縮小画像の一例である。
【００１６】
図２（ａ）においては、Ｍ×Ｎ列（Ｍ，Ｎ：共に奇数）の格子状配列が、例えば、縦横３列ずつの縮小画像が表示されており、表示領域中央にユーザが格納しようとしている画像の縮小画像が表示されており、該縮小画像の周りをユーザの選択位置を表すように太線の枠で囲ってある。マーカの種類はユーザの選択している場所が分るものであれば必ずしも太枠表示でなくても良い。
【００１７】
また、この格納される縮小画像の周りを囲むように、格納先、印刷先、通信先を表す縮小画像が表示されている。
【００１８】
格納先を表す縮小画像を該格納先の中に記録されている画像中の一つの画像より作成された縮小画像が表示される。
【００１９】
格納先中にある複数の画像のうちどの画像の縮小画像を表示するかについては、例えば該格納先に最後に格納された画像の縮小画像を表示する。
【００２０】
印刷先、通信先を表す画像も同様に、それぞれ最後に印刷、または通信された画像の縮小画像を表示する。
【００２１】
図２（ｂ）は、ユーザが指示手段１２によって画像の格納先を選択したときの表示画面である。指示手段１２は、格納先を選択するためにマーカの位置を移動する方法と移動したマーカの位置がユーザの格納しようとする格納先に合致したら、そこでユーザが選択・決定できる機能を有している。
【００２２】
図２（ａ）においては、中央の画像にマーカが表示されているが、ユーザが指示手段１２によって、マーカの位置をフォルダ３と表示された格納先に移動させ決定を行うと、フォルダ３の縮小画像は、格納された画像の縮小画像に更新される（図２（ｂ）参照）。
【００２３】
他の格納先や通信先、印刷先に対する指示の方法も上記と同様である（図中、「通信１」、「印刷」）。
【００２４】
図３は、本発明に係る第１の実施例における画像処理装置の画像記録媒体および縮小画像記録媒体の分類の一例を示した説明図である。
【００２５】
即ち、第１の実施例における画像の格納にあたり、画像記録媒体１６および縮小画像記録媒体６に記録される画像および縮小画像の分類の一例を示した説明図である。
【００２６】
図３（ａ）は、画像記録媒体１６に記録されている画像の格納状況であり、フォルダ１〜５からなる複数の格納先のそれぞれに複数の画像１０１から１１２が記録されている。
【００２７】
図３（ｂ）は、縮小画像記録媒体６に記録されている縮小画像の格納状況であり、図３（ａ）と同様にフォルダ１〜５からなる複数の格納先のそれぞれに複数の縮小画像１０１から１１２が格納されており、図３（ｂ）の縮小画像および図３（ａ）の画像の番号は、それぞれ対応する画像から縮小画像が作られたことを表す。
【００２８】
また、縮小画像記録媒体には縮小画像読書き手段４によって縮小画像と同時に、画像格納時の格納先、通信先、印刷先として、どの縮小画像が表示されるかという縮小画像表示情報が記録されており、表示時にはその情報に従って縮小画像が読み出され、表示制御手段８によって図２で表されるように表示手段１０に表示される。
【００２９】
以上説明した方法により、格納先の縮小画像が表示されるのでユーザが画像を管理する際に、容易に格納処理を行うことができる。
【００３０】
【第２の実施例】
第２の実施例は、構成の主体が撮像装置の場合である。
【００３１】
図４は、本発明に係る第２の実施例における撮像装置の要部構成を示すブロック図である。
【００３２】
図４において、２は撮像された画像の縮小画像を作成する縮小画像作成手段であり、４は前記縮小画像作成手段２によって作成された縮小画像および縮小画像表示情報を縮小画像記録媒体６に分類して記録し、また、縮小画像記録媒体６に記録されている縮小画像を読み込む縮小画像読書手段であり、６は縮小画像読書き手段４によって縮小画像および縮小画像表示情報を記録する縮小画像記録媒体であり、８は表示手段１０に表示される出力先を表す画像が画像記録媒体１６の中の該出力先に格納されている画像の縮小画像になるように、縮小画像記録媒体６中の縮小画像表示情報に従って縮小画像を読出して表示する表示制御手段であり、１０は表示制御手段８によって、撮像された画像および出力先を表す画像および指示手段１２によってユーザが出力先を指定するためのマーカを表示する表示手段であり、１２はユーザ撮像された画像の出力先を選択および決定することのできる指示手段であり、１４は撮像された画像を指示手段１２によって指定された出力先に記録および読み出しを行う画像格納手段であり、１６は画像格納手段１４によって画像を記録する画像記録媒体であり、２２は被写体を撮像し電気的な画像に変換する撮像手段である。
【００３３】
なお、縮小画像記録媒体６と画像記録媒体１６は同一の媒体であっても良い。
【００３４】
図５は、本発明に係る第２の実施例における撮像装置の画像格納時の表示画面例を示す説明図である。
【００３５】
即ち、第２の実施例における画像の格納操作にあたり、表示手段１０に表示される縮小画像の一例を示したものである。
【００３６】
図５（ａ）においては、Ｍ×Ｎ列（Ｍ，Ｎ：共に奇数）の格子状配列が、例えば、縦横３列ずつの縮小画像が表示されており、表示領域中央に撮像した画像の縮小画像が表示されており、該縮小画像の周りをユーザの選択位置を表すように太線の枠で囲ってある。マーカの種類はユーザの選択している場所が分るものであれば必ずしも太枠表示でなくても良い。
【００３７】
また、該撮像した画像の縮小画像の周りを囲むように、格納先を表す縮小画像が表示されている（図中、フォルダ６、フォルダ８）。
【００３８】
格納先を表す縮小画像を該格納先の中に記録されている画像中の一つの画像より作成された縮小画像が表示される。
【００３９】
格納先中にある複数の画像のうちどの画像の縮小画像を表示するかについては、例えば該格納先に最後に格納された画像の縮小画像を表示する。
【００４０】
図５（ｂ）は、ユーザが指示手段１２によって画像の出力先を選択したときの表示画面であるが、指示手段１２は、出力先を選択するためにマーカの位置を移動する方法と移動したマーカの位置がユーザの出力しようとする出力先に合致したら、そこでユーザが選択・決定できる機能を有している。
【００４１】
図５（ａ）においては、表示領域中央の画像にマーカが表示されているが、ユーザが指示手段１２によってマーカの位置をフォルダ３と表示された格納先に移動させ決定を行うと、フォルダ３の縮小画像は、格納された画像の縮小画像に更新される。
【００４２】
他の格納先に対する指示の方法も上記と同様である。
【００４３】
図６は、本発明に係る第２の実施例における撮像装置の画像の格納あるいは出力処理の手順を示すフローチャートである。
【００４４】
本発明に係る撮像装置で撮像するにあたり、まずユーザはあらかじめ撮像した画像の格納先を設定することが可能である（Ｓ１０１）。格納先の設定は、ユーザによって指定された時に任意に設定することが可能であり、設定方法は前述の図５を用いて説明した方法と同一であり、本設定を行うと縮小画像読書き手段４と画像格納手段１４は縮小画像および撮像した画像の記録場所を記憶する。
【００４５】
次に撮像手段１２を用いて撮像を行う（Ｓ１０２）と、縮小画像作成手段２は撮像した画像から縮小画像を作成する（Ｓ１０３）。
【００４６】
次に、あらかじめ格納（出力）先が設定されているかどうかを判別し（Ｓ１０４）、設定されていない場合には、ユーザが指示手段１２を用いて格納（出力）先の指定を行う（Ｓ１０５）。出力（格納）先が指定されたか、またはあらかじめ出力（格納）先が設定されている場合には、画像格納手段１４は画像記録媒体１６の指定の格納先に画像を格納する（Ｓ１０６）。
【００４７】
また縮小画像読書き手段４は、縮小画像記録媒体６に縮小画像の記録・格納（出力）を行い（Ｓ１０７）、縮小画像表示情報を更新する（Ｓ１０８）。
【００４８】
以上説明したように、撮像時に、格納先の縮小画像が表示されるので、ユーザが画像を処理あるいは管理する際に容易に出力、格納処理を行うことができる。
【００４９】
また、あらかじめ任意に格納先を設定しておけば、それ以降に撮像した画像は設定した格納先に自動的に記録され、出力（格納）先の設定を解除すれば、撮影するたびに任意の出力先（あるいは格納先）に出力（格納）することが可能になる。
【００５０】
【発明の効果】
本発明に係る画像処理装置によれば、画像の記録後の格納時に格納先の縮小画像が表示されるので、ユーザが画像を処理する際に、容易に分類・格納処理を行うことができる。
【００５１】
また、本発明における撮像装置によれば、画像の撮像後の出力（格納）時に、出力（格納）先の縮小画像が表示されるので、ユーザが画像を撮像する際に、容易に分類・格納処理を行うことができる。
【図面の簡単な説明】
【図１】本発明に係る第１の実施例における画像処理装置の要部構成を示すブロック図
【図２】（ａ）、（ｂ）  本発明に係る第１の実施例における画像処理装置の画像格納時の縮小画像の表示画面例を示す説明図
【図３】（ａ）、（ｂ）  本発明に係る第１の実施例における画像処理装置の画像記録媒体および縮小画像記録媒体の分類の一例を示した説明図
【図４】本発明に係る第２の実施例における撮像装置の要部構成を示すブロック図
【図５】（ａ）、（ｂ）  本発明に係る第２の実施例における撮像装置の画像格納時の表示画面例を示す説明図
【図６】本発明に係る第２の実施例における撮像装置の画像の格納あるいは出力処理の手順を示すフローチャート
【符号の説明】
２  縮小画像作成手段
４  縮小画像読書き手段
６  縮小画像記録媒体
８  表示制御手段
１０  表示手段
１２  指示手段
１４  画像格納手段
１６  画像記録媒体
１８  印刷手段
２０  通信手段
２２  撮像手段
【図１】
2004194183.tif 000003
【図２】
2004194183.tif 000004
【図３】
2004194183.tif 000005
【図４】
2004194183.tif 000006
【図５】
2004194183.tif 000007
【図６】
2004194183.tif 000008